(57)【要約】      （修正有）【課題】視覚および聴覚によって興趣を起こさせるとともに、第三者の目に触れやすい形で所持できる音楽再生装置を提供する。【解決手段】団体を表す標章の外形を模した容器と、容器内に収容される基板１０と、基板１０に接続され、前記標章と関連性を有する楽曲の音楽情報を格納する音楽記憶手段１１と、音楽記憶手段１１からの音楽信号を出力する出力手段ＳＰと、音楽記憶手段１１および出力手段ＳＰへ電力を供給する電源部と、前記容器の外面に設けられ、前記電源部からの電流を遮断又は通電するスイッチＳＷとを備えることを特徴とする。【選択図】図３
0003208589.tif 000002
【実用新案登録請求の範囲】
【請求項１】
団体を表す標章の外形を模した容器（１）と、
前記容器（１）内に収容される基板（１０）と、
前記基板（１０）に接続され、前記標章と関連性を有する楽曲の音楽情報を格納する音楽記憶手段（１１）と、
前記音楽記憶手段（１１）からの音楽信号を出力する出力手段（ＳＰ）と、
前記音楽記憶手段（１１）および前記出力手段（ＳＰ）へ電力を供給する電源部（１５）と、
前記容器（１）の外面に設けられ、前記電源部（１５）からの電流を遮断又は通電するスイッチ（ＳＷ）とを備えることを特徴とする音楽再生装置。
【請求項２】
前記標章は、校章、社章、家紋、定紋、徽章、文字、記号、図柄、キャラクターから選ばれる少なくとも１つの標章を模したものであり、
前記音楽情報は、校歌、社歌、球団歌、応援歌、主題曲から選ばれる少なくとも１つの音楽情報を格納するものであることを特徴とする請求項１に記載の音楽再生装置。
【請求項３】
前記基板（１０）は、発光手段（１４）を備えることを特徴とする請求項１又は請求項２に記載の音楽再生装置。
【請求項４】
前記容器（１）は、装着手段（２）を備えることを特徴とする請求項１から請求項３のいずれか１項に記載の音楽再生装置。
【考案の詳細な説明】
【技術分野】
【０００１】
本考案は、標章を模した容器の外形に関連する楽曲を再生できる音楽再生装置に関する。
【背景技術】
【０００２】
従来、文字、図柄又は記号等で装飾された本体部に、所定の音楽を出力できる装置を備え付けた音楽再生装置が知られている。
【０００３】
例えば、足が設けられた陶板に、五線、記号、校歌の歌詞および所定の文字等と共に、校章などの標章が描かれ、オルゴールおよび時計が備え付けられたものが公知である（特許文献１参照）。
【先行技術文献】
【特許文献】
【０００４】
【特許文献１】実用新案登録第３０７９６５１号
【考案の概要】
【考案が解決しようとする課題】
【０００５】
しかしながら、特許文献１の装置には陶板が用いられており、ある程度の大きさと重さを有するため、持ち運びには適さないという問題があった。また、陶板には足が設けられており、特定の場所に設置されて用いられるものであり、第三者の目にも触れにくいばかりか、音楽が再生されていないときには、置時計として使用されるものであるため、格別第三者の好奇心をかきたてるものではなかった。
【０００６】
本考案ではかかる従来の問題に鑑み、視覚および聴覚によって興趣を起こさせるとともに、第三者の目に触れやすい形で所持できる音楽再生装置を提供することを目的とする。
【課題を解決するための手段】
【０００７】
本考案の請求項１に記載の音楽再生装置は、団体を表す標章の外形を模した容器と、前記容器内に収容される基板と、前記基板に接続され、前記標章と関連性を有する楽曲の音楽情報を格納する音楽記憶手段と、前記音楽記憶手段からの音楽信号を出力する出力手段と、前記音楽記憶手段および前記出力手段へ電力を供給する電源部と、前記容器の外面に設けられ、前記電源部からの電流を遮断又は通電するスイッチとを備えることを特徴とするものである。
【０００８】
本考案の請求項２に記載の音楽再生装置は、前記標章が、校章、社章、家紋、定紋、徽章、文字、記号、図柄、キャラクターから選ばれる少なくとも１つの標章を模したものであり、前記音楽情報が、校歌、社歌、球団歌、応援歌、主題曲から選ばれる少なくとも１つの音楽情報を格納するものであることを特徴とするものである。
【０００９】
本考案の請求項３に記載の音楽再生装置は、前記基板が、発光手段を備えることを特徴とするものである。
【００１０】
本考案の請求項４に記載の音楽再生装置は、前記容器が、装着手段を備えることを特徴とするものである。
【考案の効果】
【００１１】
本考案によれば、音楽が再生されていない状態においては、外見から視覚によって想起される直観的な印象を惹起させて、音楽が再生された状態においては、容器の外形と関連付けされた楽曲が流れて聴覚によって興趣を起こさせることができると共に、携帯性を有することで、第三者の目に触れやすい形で所持できるため、広告効果がもたらされる。
【図面の簡単な説明】
【００１２】
【図１】本考案の実施例における音楽再生装置の正面側斜視図である。
【図２】本考案の実施例における音楽再生装置の背面側斜視図である。
【図３】本考案の実施例における音楽再生装置の容器蓋体を外した容器本体の背面図である。
【図４】本考案の実施例における音楽再生装置の図３のＡ−Ａ線断面図である。
【考案を実施するための形態】
【００１３】
以下、本考案の音楽再生装置を実施するための形態について、図面に基づいて説明する。図１は、音楽再生装置の正面側斜視図である。図２は、背面側斜視図である。図３は、容器蓋体を外した容器本体の背面図である。図４は、図３のＡ−Ａ線断面図である。
【００１４】
本考案に係る音楽再生装置は、図１および図３に示すように、装着手段２を有する容器１と、容器１内に収容される基板１０と、基板１０に接続され、所定の音楽情報を格納する音楽記憶手段１１と、音楽記憶手段１１からの音楽信号を出力する出力手段ＳＰと、音楽記憶手段１１および出力手段ＳＰへ電力を供給する電源部１５と、容器の外面に設けられるスイッチＳＷなどを備える。
【００１５】
当該音楽再生装置において、容器１を吊り下げるための装着手段２が設けられた方を上方とし、その反対を下方とする。また、容器１奥行き方向を前後方向とし、幅方向を左右方向とする。
【００１６】
容器１は、学校、会社等の団体を表す標章の外形を模して形成されており、具体的には、図１に示すように、校章を模した八角菊くずし紋の外形からなる。容器１は、後方に開口を有する容器本体１ａと、容器本体１ａの開口を塞ぐ容器蓋体１ｂとからなる。容器本体１ａおよび容器蓋体１ｂの縁部には、互いに嵌挿可能なように段部が設けられており、容器本体１ａは、締結部材ＳＣにより容器本体１ｂに締結される。容器１の組み付け方法は、締結部材ＳＣを用いる以外にも、容器本体１ａおよび容器蓋体１ｂのそれぞれに被係合部と係合部を設けて、係合させてもよい。そして、容器１は、より携帯性を高めるために、２〜１０ｃｍ四方の大きさに収まる大きさであることが好ましい。この程度の大きさであると、カバンや衣服などのポケットに収納しても、嵩張らず、身近に保持することができる。
【００１７】
容器１の内部には、電子部品を組み付けるための基板１０が収納されており、容器１の右側面には、スイッチＳＷが容器１内から突出して設けられている。なお、容器１の素材は光透過性を有する合成樹脂材であることが望ましいが、木や金属であってもよい。また、容器１の外形に用いられる標章については、前述の校章を含んだ社章、家紋、定紋、徽章、文字、記号、図柄、キャラクター等から選ばれる少なくとも１つの標章を模したものであってもよい。
【００１８】
容器本体１ａには、身に着けたり、持ち物に装着したりするための装着手段２が設けられており、装着手段２の中央部には、吊り紐を通すための吊り穴３が設けられている。なお、装着手段２は、容器蓋体２に設けてもよく、吊り穴３以外のマグネットや粘着剤を用いて装着するものであってもよい。装着手段２を設けることにより、使用者のカバン、財布、携帯情報端末などの身の回りの持ち物に取付けることができ、そして、本考案の音楽再生装置を身近に保持することができる。容器本体１ａの前方中央部には、出力手段ＳＰからの音楽を通すための複数の孔４が設けられている。また、容器本体１ａ内には、基板１０を支持するため円筒状の支持部５が設けられており、支持部５の先端には、基板１０の取付け位置を位置決めする円筒状の位置決め突起６が設けられている。
【００１９】
容器蓋体１ｂは、容器本体１ａの略半分の奥行きを有しており、下方には容器本体１と固定するための締結穴７が設けられている。また、容器蓋体１ｂには、基板１０を容器１内で固定するため、前述した位置決め突起６に対応する位置に受け穴（図示しない）が設けられている。
【００２０】
基板１０には、前述の団体を表す標章と関連性を有する楽曲の音楽情報を格納する音楽記憶手段１１と、音楽記憶手段１１からの音楽信号を出力する出力手段ＳＰと、音楽記憶手段および出力手段ＳＰへ電力を供給する電源部１５と、容器１の外面に設けられ、電源部１５からの電流を遮断又は通電するスイッチＳＷとが接続される。また、本実施例では、基板１０に、音楽記憶手段１１からの音楽信号を増幅する増幅器１２と、通電により発光する発光手段１４とが設けられている。
【００２１】
音楽記憶手段１１は、図３に示すように、基板１０の略中央に設けられており、校歌、社歌、球団歌、応援歌、主題曲その他団体を表す標章と関連性を有する楽曲から選ばれる少なくとも１つの音楽情報が格納される。本実施形態において、標章の外形として校章の外形を用いており、その校章が表す学校の校歌が、音楽記憶手段１１に格納されている。そして、上述したある会社の社章の外形を模して容器本体を作成し、その会社の社歌を音楽手段１１に格納することができるし、また、あるプロ野球球団を示すモノグラムなどの図柄の外形を模して容器本体を作成し、そのプロ野球球団の球団歌、応援歌などそのプロ野球球団と関連する音楽を音楽記録手段１１に格納することができる。音楽記憶手段１１からの音楽信号は、増幅器１２によって増幅され、出力手段ＳＰに送られる。
【００２２】
出力手段ＳＰは、基板１０の端部に導線を介して接続されており、図４に示すように、基板１０の前方に、振動の伝達を緩衝するための緩衝材１３を介して設けられている音楽出力装置である。出力手段ＳＰは、増幅器１２から受け取った音楽信号を音楽に変換して出力する。
【００２３】
発光手段１４は、図３に示すように、放射状に等間隔で配置されており、基板１０に接続されている。発光手段１４は、容器１の内部で点滅発光するが、容器１には光透過性を有する合成樹脂材料が用いられているため、外部から視認可能となっている。発光手段１４には、ＬＥＤが使用されているが、これ以外の発光素子を用いてもよく、また、容器１に孔を設け、その孔から発光手段１４を突出させて発光させてもよい。本実施例では、基板１０上の５箇所にＬＥＤが配置されているが、個数および取付け箇所はこれに限られず、また、発光のタイミングについても、楽曲に連動させて発光するようにしてもよい。
【００２４】
電源部１５は、図４に示すように、電力を供給する電池１５ａと、電池１５ａを基板１０に固定するための電池ホルダ１５ｂとからなり、基板１０の前方に設けられている。電池１５ａは、一方の側面が基板１０の端子に接触しており、他方の側面が電池ホルダ１５ｂに接触して設けられる。そして、電池１５ａは、スイッチＳＷを経由して、音楽記憶手段１１、増幅器１２および発光手段１４に接続される。なお、電池１５にはボタン電池を使用しているが、コイン形電池や乾電池等その他の電池を使用してもよい。
【００２５】
スイッチＳＷは、基板１０の下方端部に取り付けられ、そして容器１の外面に突出すように設けられており、摺動自在に操作できる。スイッチＳＷが操作されて電流が通電することで、音楽が再生され校歌が流れると共に、発光手段１４が点滅発光する。なお、スイッチＳＷは、押圧操作、回転操作、あるいは遠隔操作されるものであってもよい。
【００２６】
また、本実施形態において設けられていないが、他の実施形態において、基板１０に可変抵抗などを取付け、容器１の外面に設けられた部材を回転または摺動などすることによりその抵抗値を変えて音量を調整する音量調整手段とすることができる。
【００２７】
容器１は、音楽が再生されず発光しない状態においては、外見から視覚によって想起される直観的な印象を惹起させ、音楽が再生されて発光した状態においては、容器１の外形と関連付けされた楽曲が流れて聴覚によって興趣を起こさせることができると共に、携帯性を有することで、第三者の目に触れやすい形で所持できるため、広告効果がもたらされる。
【符号の説明】
【００２８】
１  容器
１ａ  容器本体
１ｂ  容器蓋体
２  装着手段
３  吊り穴
４  孔
５  支持部
６  位置決め突起
７  締結穴
１０  基板
１１  音楽記憶手段
１２  増幅器
１３  緩衝材
１４  発光手段
１５  電源部
１５ａ  電池
１５ｂ  電池ホルダ
ＳＰ  出力手段
ＳＷ  スイッチ
【図１】
0003208589.tif 000003
【図２】
0003208589.tif 000004
【図３】
0003208589.tif 000005
【図４】
0003208589.tif 000006